【手続補正書】
【提出日】平成24年12月7日(2012.12.7)
【手続補正１】
【補正対象書類名】特許請求の範囲
【補正対象項目名】全文
【補正方法】変更
【補正の内容】
【特許請求の範囲】
【請求項１】
通信システムにおいて、複数の前方誤り訂正（ＦＥＣ）ブロックを含み、受信機に送信される送信フレームにおけるシグナリング情報を保護する方法であって、
前記送信フレームのフレームシグナリング情報を符号化して該フレームシグナリング情報を保護するステップと、
前記ＦＥＣブロックの各々に対してリード・マラー（ＲＭ）符号を使用して該ＦＥＣブロックのＦＥＣブロックシグナリング情報を符号化して該ＦＥＣブロックシグナリング情報を保護するステップと、
を含む、前記方法。
【請求項２】
前記送信フレームを前記受信機に送信するステップをさらに含み、前記符号化されたＦＥＣブロックシグナリング情報の後に前記それぞれのＦＥＣブロックのＦＥＣブロックデータが続く、請求項１に記載の方法。
【請求項３】
符号化されたＦＥＣブロックを形成するステップをさらに含み、該各々の符号化されたＦＥＣブロックが前記ＦＥＣブロックの1つとこれに対応する前記符号化されたＦＥＣブロックシグナリング情報を含む、請求項１または２に記載の方法。
【請求項４】
前記送信フレームを前記受信機に送信するステップをさらに含み、シグナリング情報保護の反復は前記それぞれのＦＥＣブロックに対して使用される、請求項１に記載の方法。
【請求項５】
前記ＦＥＣブロックシグナリング情報はＲＭ符号により符号化されて対称構造を有する符号化されたＦＥＣブロックシグナリング情報を形成する、請求項１から４のいずれか一項に記載の方法。
【請求項６】
前記フレームシグナリング情報は、Ｓ２−ＬＤＰＣの内符号およびＢＣＨ符号の外符号の連結符号により符号化される、請求項１から５のいずれか一項に記載の方法。
【請求項７】
前記ＦＥＣブロックシグナリング情報は前記ＦＥＣブロックの各々に対する符号化率と復調を含み、前記フレームシグナリング情報は前記送信フレームに対する選択されたガードインターバルを含む、請求項１から６のいずれか一項に記載の方法。
【請求項８】
通信システムにおいて、複数の前方誤り訂正（ＦＥＣ）ブロックを含み、受信機に送信される送信フレームにおけるシグナリング情報を保護するための方法を実行する送信機であって、
前記送信フレームにおけるシグナリング情報を符号化して該フレームシグナリング情報を保護する手段と、
前記ＦＥＣブロックの各々に対してリード・マラー（ＲＭ）符号を使用して該ＦＥＣブロックのＦＥＣブロックシグナリング情報を符号化して該ＦＥＣブロックシグナリング情報を保護する手段と、
を備え、
当該送信機が請求項１から７のいずれか一項に記載の方法を実行するのに適合されてなる、前記送信機。
【請求項９】
通信システムにおいて送信機から複数の符号化された前方誤り訂正（ＦＥＣ）ブロックを含む送信フレームにおけるシグナリング情報を受信する方法であって、
前記送信フレームの符号化されたフレームシグナリング情報と符号化されたＦＥＣブロックの符号化されたＦＥＣブロックシグナリング情報を受信するステップと、
前記送信フレームの前記符号化されたフレームシグナリング情報を復号するステップと、
前記符号化されたＦＥＣブロックの各々に対して、対応するＦＥＣブロックデータが復元されるように前記符号化されたＦＥＣブロックシグナリング情報を復号するステップであって、前記符号化されたＦＥＣブロックシグナリング情報はリード・マラー（ＲＭ）符号化されたＦＥＣブロックシグナリング情報である、該ステップと、
を含む、前記方法。
【請求項１０】
前記対応するＦＥＣブロックの前記復号されたＦＥＣブロックシグナリング情報は、他のＦＥＣブロックのシグナリング情報を含み、該他のＦＥＣブロックに対する前記復号されたシグナリング情報は該他のＦＥＣブロックデータを復元するのに使用される、請求項９に記載の方法。
【請求項１１】
前記他のＦＥＣブロックは、前記対応するＦＥＣブロックに隣接するＦＥＣブロックである、請求項１０に記載の方法。
【請求項１２】
前記ＲＭ符号化されたＦＥＣブロックシグナリング情報を自己相関解析して対応するＦＥＣブロックのヘッダーを取得するステップをさらに含む、請求項９から１１のいずれか一項に記載の方法。
【請求項１３】
前記ＦＥＣブロックシグナリング情報は前記ＦＥＣブロックの各々に対する符号化率と復調を含み、前記フレームシグナリング情報は前記送信フレームに対する選択されたガードインターバルを含む、請求項９から１２のいずれか一項に記載の方法。
【請求項１４】
通信システムにおいて送信機から複数の符号化された前方誤り訂正（ＦＥＣ）ブロックを含む送信フレームにおけるシグナリング情報を受信するための受信機であって、
前記送信フレームの符号化されたフレームシグナリング情報と符号化されたＦＥＣブロックシグナリング情報を受信する手段と、
前記送信フレームの前記符号化されたフレームシグナリング情報を復号する手段と、
前記ＦＥＣブロックの各々に対して前記符号化されたＦＥＣブロックシグナリング情報を復号して前記対応するＦＥＣブロックデータを復元する手段であって、前記符号化されたＦＥＣブロックシグナリング情報はリード・マラー符号化されたＦＥＣブロックシグナリング情報である、該手段と、
を備え、
当該受信機は請求項９から１３のいずれか一項に記載の方法を実行するのに適合されてなる、前記受信機。
【請求項１５】
通信システムにおいて、複数の前方誤り訂正（ＦＥＣ）ブロックを含み、受信機に送信される送信フレームにおけるシグナリング情報を保護するための方法を実行する送信機であって、当該送信機が請求項１から７のいずれか一項に記載の方法を実行するのに適合されてなり、
前記送信フレームのフレームシグナリング情報を符号化して該フレームシグナリング情報を保護し、さらに、前記ＦＥＣブロックの各々に対してリード・マラー（ＲＭ）符号を使用して該ＦＥＣブロックのＦＥＣブロックシグナリング情報を符号化して該ＦＥＣブロックシグナリング情報を保護するＦＥＣ符号化器を備える、前記送信機。
【請求項１６】
通信システムにおいて送信機から複数の符号化された前方誤り訂正（ＦＥＣ）ブロックを含む送信フレームの符号化されたフレームシグナリング情報と符号化されたＦＥＣブロックシグナリング情報を受信するための受信機であって、当該受信機は請求項９から１３のいずれか一項に記載の方法を実行するのに適合されてなり、
前記送信フレームにおける前記符号化されたフレームシグナリング情報を復号するデマッピング装置と、
前記符号化されたＦＥＣブロックの各々に対して前記符号化されたＦＥＣブロックシグナリング情報を復号して前記対応するＦＥＣブロックデータを復元するＦＥＣ復号器であって、前記符号化されたＦＥＣブロックシグナリング情報はリード・マラー符号化されたＦＥＣブロックシグナリング情報である、該ＦＥＣ復号器と、
を備える、前記受信機。
【手続補正２】
【補正対象書類名】明細書
【補正対象項目名】０００５
【補正方法】変更
【補正の内容】
【０００５】
ＤＶＢ−Ｔ２におけるＯＦＤＭフレームのＬ１シグナリング情報を保護するために、畳込みＳ２−ＬＤＰＣ符号を使用した内符号および短縮したＢＣＨ符号を使用した外符号により、連結チャンネル符号はシグナリング情報の前方誤り訂正（Forward Error Correction（ＦＥＣ））符号化の実行のために提案される。この保護のスキームは、ＯＦＤＭフレームの後続のデータペイロードに使用するコーデックを再利用できる。上記の説明から、シグナリング情報はＤＶＢ−Ｔ２におけるＯＦＤＭフレームのレベルにおいて保護されることがわかる。さらにＤＴＭＢおよびＤＶＢ−Ｔのために、シグナリング情報はまたＯＦＤＭフレームのレベルにおいても保護される。
【手続補正３】
【補正対象書類名】明細書
【補正対象項目名】００２６
【補正方法】変更
【補正の内容】
【００２６】
図４を参照して、送信フレームの符号化スキームの概要図は実施例に従い示される。図４において、送信フレームにはＯＦＤＭシグナリングおよびデータシンボルのプリアンブルが含まれる。上述のように、連結符号（ＢＣＨ＋Ｓ２−ＬＤＰＣ）はＯＦＤＭシグナリングを保護して符号化されたシグナリングフレームを形成するために使用される。あるいは、オーバーヘッドを減少するために、ＢＣＨ符号はさらに短縮でき、Ｓ２−ＬＤＰＣは、チャンネル環境におけるＯＦＤＭシグナリング情報ビットナンバー要求に基づいてさらに畳込みされる。他方の実施態様は短縮されたＢＣＨ（７０３２，７２００）及び畳込みされたＤＶＢ−Ｓ２  ＬＤＰＣを使用するためのもので、１／２の符号化率を有する。